(57)【特許請求の範囲】
【請求項１】
携帯電話機と，該携帯電話機を介して通信を行う所定の外部機器とで構成され，上記携帯電話機と上記外部機器との間の通信はそれぞれに搭載された局所無線通信装置によって無線により行う無線通信システムにおいて，
上記外部機器は，
所定の登録要求に基づいて上記携帯電話機に固有の携帯電話識別子を登録する認証情報登録手段と，
上記携帯電話機との通信の確立に先立ってその携帯電話機の上記携帯電話識別子と上記認証情報登録手段に登録されている各携帯電話識別子とを照合し，それらが一致した場合にのみ通信を確立する認証手段とを具備し，
上記認証情報登録手段は，所定の登録要求に基づいて，上記携帯電話機に固有の携帯電話識別子と対応させて当該外部機器で利用可能な複数のサービスに割り当てられたサービス識別子のうちの１又は複数を登録し，
上記認証手段は，上記携帯電話機との通信の確立に先立って，その携帯電話機の上記携帯電話識別子及びその通信によって利用しようとするサービスのサービス識別子と，上記認証情報登録手段に登録されている上記携帯電話識別子及びサービス識別子とを照合し，それらが共に一致した場合にのみ上記サービスに関する通信を確立してなることを特徴とする無線通信システム。
【請求項２】
上記携帯電話機は，上記外部機器に対して自己の上記携帯電話識別子と上記サービス識別子とを送信して登録要求を行う登録要求手段を具備し，
上記所定の登録要求が，上記携帯電話機の上記登録要求手段を用いた無線による登録要求である請求項１に記載の無線通信システム。
【請求項３】
上記携帯電話機の上記登録要求手段は，上記携帯電話識別子と共に，登録対象となる外部機器に固有の外部機器識別子を送信し，
上記外部機器の上記認証情報登録手段は，上記登録要求手段から受信した上記外部機器識別子が自己の外部機器識別子と一致した場合にのみ，上記登録要求手段からの登録要求に基づく登録を行う請求項２に記載の無線通信システム。
【請求項４】
上記携帯電話機と上記外部機器との間の無線通信の確立は，常に上記携帯電話機から上記外部機器への接続要求に基づいて行う請求項１〜３のいずれかに記載の無線通信システム。
【請求項５】
上記外部機器は，ユーザが使用可能状態となったことを検知して当該外部機器を上記携帯電話機からの接続要求の待ち受け状態に移行させる待受処理手段を具備してなる請求項４に記載の無線通信システム。
【請求項６】
上記待受処理手段は，当該外部機器の振動を検知してユーザが使用可能状態となったと判断する請求項５に記載の無線通信システム。
【請求項７】
上記待受処理手段は，当該外部機器へのユーザの接近を検知してユーザが使用可能状態となったと判断する請求項５に記載の無線通信システム。
【請求項８】
上記外部機器が車載機器である場合に，上記待受処理手段は，人の乗車を検知してユーザが使用可能状態となったと判断する請求項５に記載の無線通信システム。
【請求項９】
携帯電話機を介して通信を行う外部機器であって，上記携帯電話機に搭載された局所無線通信装置との間で無線通信が可能な局所無線通信装置を具備し，上記携帯電話機との間の通信を上記局所無線通信装置を用いた無線通信により行う外部機器において，
所定の登録要求に基づいて上記携帯電話機に固有の携帯電話識別子を登録する認証情報登録手段と，
上記携帯電話機との通信の確立に先立ってその携帯電話機の上記携帯電話識別子と上記認証情報登録手段に登録されている各携帯電話識別子とを照合し，それらが一致した場合にのみ通信を確立する認証手段とを具備し，
上記認証情報登録手段は，所定の登録要求に基づいて，上記携帯電話機に固有の携帯電話識別子と対応させて当該外部機器で利用可能な複数のサービスに割り当てられたサービス識別子のうちの１又は複数を記憶し，
上記認証手段は，上記携帯電話機との通信の確立に先立って，その携帯電話機の上記携帯電話識別子及びその通信によって利用しようとするサービスのサービス識別子と，上記認証情報登録手段に登録されている上記携帯電話識別子及びサービス識別子とを照合し，それらが共に一致した場合にのみ通信を確立してなることを特徴とする外部機器。
【請求項１０】
上記所定の登録要求が上記携帯電話機からの無線による登録要求である場合に，上記認証情報登録手段は，上記携帯電話機から受信した外部機器識別子が自己の外部機器識別子と一致した場合にのみ，上記携帯電話機からの登録要求に基づく登録を行う請求項９に記載の外部機器。
【請求項１１】
上記携帯電話機からの接続要求に基づいて，上記携帯電話機との間の無線通信を確立する請求項９又は１０のいずれかに記載の外部機器。
【請求項１２】
ユーザが使用可能状態となったことを検知して当該外部機器を上記携帯電話機からの接続要求の待ち受け状態に移行させる待受処理手段を具備してなる請求項１１記載の外部機器。
【請求項１３】
上記待受処理手段は，当該外部機器の振動を検知してユーザが使用可能状態となったと判断する請求項１２に記載の外部機器。
【請求項１４】
上記待受処理手段は，当該外部機器へのユーザの接近を検知してユーザが使用可能状態となったと判断する請求項１２に記載の外部機器。
【請求項１５】
当該外部機器が車載機器である場合に，上記待受処理手段は，人の乗車を検知してユーザが使用可能状態となったと判断する請求項１２に記載の外部機器。
【請求項１６】
局所無線通信装置を具備する携帯電話機であって，当該携帯電話機を介して通信を行う所定の外部機器との間の通信を上記局所無線通信装置を用いた無線により行う携帯電話機において，
当該携帯電話機との通信の確立に先立ってその携帯電話機に固有の携帯電話識別子と予め登録されている携帯電話識別子とを照合し，それらが一致した場合にのみ通信を確立するように構成されている上記外部機器に対して，固有の携帯電話識別子を送信して登録要求を行う登録要求手段を具備し，
上記外部機器が，当該携帯電話機との通信の確立に先立って，その携帯電話機の上記携帯電話識別子及びその通信によって利用しようとするサービスのサービス識別子と，予め登録されている上記携帯電話識別子及びサービス識別子とを照合し，それらが共に一致した場合にのみ通信を確立するように構成されている場合に，
上記登録要求手段は，上記外部機器に対して，上記固有の携帯電話識別子と共に上記サービス識別子を送信して登録要求を行うことを特徴とする携帯電話機。
【請求項１７】
上記外部機器が，当該携帯電話機から受信した外部機器識別子が自己の外部機器識別子と一致した場合にのみ，当該携帯電話機からの登録要求に基づく登録を行うように構成されている場合に，
上記登録要求手段は，上記携帯電話識別子と共に，登録対象となる外部機器の上記外部機器識別子を送信するように構成されてなる請求項１６に記載の携帯電話機。
【請求項１８】
上記外部機器からの接続要求の待ち受けは行わず，上記外部機器との間の無線通信を確立する際に上記外部機器に対して接続要求を送信する請求項１６又は１７のいずれかに記載の携帯電話機。
【請求項１９】
携帯電話機と，該携帯電話機を介して通信を行う所定の外部機器との間で局所無線通信装置による無線通信を行う無線通信方法において，
上記外部機器に上記携帯電話機に固有の携帯電話識別子を登録する認証情報登録工程と，
上記携帯電話機との通信の確立に先立ってその携帯電話機の上記携帯電話識別子と上記認証情報登録工程により登録されている各携帯電話識別子とを照合し，それらが一致した場合にのみ通信を確立する認証工程とを具備し，
上記認証情報登録工程は，所定の登録要求に基づいて，上記携帯電話機に固有の携帯電話識別子と対応させて当該外部機器で利用可能な複数のサービスに割り当てられたサービス識別子のうちの１又は複数を登録し，
上記認証工程は，上記携帯電話機との通信の確立に先立って，その携帯電話機の上記携帯電話識別子及びその通信によって利用しようとするサービスのサービス識別子と，上記認証情報登録工程により登録されている上記携帯電話識別子及びサービス識別子とを照合し，それらが共に一致した場合にのみ上記サービスに関する通信を確立してなることを特徴とする無線通信方法。
【発明の詳細な説明】
【０００１】
【発明の属する技術分野】
本発明は，携帯電話機と，該携帯電話機を介して通信を行う例えばハンズフリー装置などの外部機器との間を局部無線通信により接続した無線通信システム，それを構成する携帯電話機，外部機器，及び無線通信方法に関する。
【０００２】
【従来の技術】
近年，ＰＨＳを含む携帯電話が急速に普及し，また携帯型コンピュータその他のいわゆるモバイル機器の小型化，高性能化が進んだこともあり，携帯電話機に外部機器を接続して通信を行ういわゆるモバイル通信が盛んに行われるようになってきた。また，自動車の運転中の携帯電話の使用による危険を防止するため，自動車運転時の携帯電話の使用はハンズフリー装置を用いた場合に限り認められることとなった。このように，携帯電話機にハンズフリー装置やモバイル機器などの様々な外部機器を接続して使用することが日常的となってきた今，外部機器と携帯電話機とをケーブルで接続するのではなく，両者を無線で接続したいという新たなニーズが生まれてきた。
携帯電話機と外部機器との間の無線接続には，例えばＢｌｕｅｔｏｏｔｈなどの新技術を用いることが提案されている。このＢｌｕｅｔｏｏｔｈは，まさにモバイル通信等をターゲットとして短距離無線接続の標準化を目指して提唱されたもので，２．４５ＧＨｚ帯を用い，約１０メートルの接続距離をカバーすると共に，通信エリア内に存在する機器を自動検知し，アドレスを割り振るなどしてネットワーク構成の自動化を図ることが可能な局所無線通信の規格である。
【０００３】
しかしながら，上記Ｂｌｕｅｔｏｏｔｈなどの無線通信によって携帯電話機と外部機器とを接続する場合，例えば１つの外部機器の無線通信範囲内に複数の携帯電話機が存在した場合などの混線が問題となる。例えば，自分のハンズフリー装置から他人の携帯電話機を介して発信してしまったり，自分の携帯電話機への着信を他人のハンズフリー装置でとられてしまうといった不具合が懸念される。そこで，このような混線の問題を解決する技術が，例えば特開平１１−９８５７８号公報に提案されている。上記公報に提案されているハンズフリー電話装置は，携帯電話機とハンズフリー装置との交信を無線で行うように構成すると共に，送信側と受信側とでＩＤが一致した場合にのみ無線通信を確立するというものである。
【０００４】
【発明が解決しようとする課題】
しかしながら，上記公報に提案されているハンズフリー電話装置では，携帯電話機側の無線通信装置とハンズフリー装置側の無線通信装置とを１対１で対応させているために通信の「秘匿性」は確保できるものの，例えば１台の外部機器を複数の携帯電話機で利用するといった「共有性」の実現は考慮されていない。例えば車にハンズフリー装置を搭載した場合，複数の運転者が使用することを考慮すると，複数の携帯電話機との接続を可能とする「共有性」を実現することが望ましい。また，外部機器が複数の機能（例えばハンズフリー機能とインターネット端末機能など）を有する場合，複数のユーザがそれぞれの携帯電話機を用いて別々の機能を利用することもあり得るが，これも上記「共有性」が実現してはじめて可能となる。
本発明は上記事情に鑑みてなされたものであり，その目的とするところは，携帯電話機と外部機器との無線通信において「秘匿性」と「共有性」を共に実現することである。
【０００５】
【課題を解決するための手段】
上記目的を達成するために，第１の発明は，携帯電話機と，該携帯電話機を介して通信を行う所定の外部機器とで構成され，上記携帯電話機と上記外部機器との間の通信はそれぞれに搭載された局所無線通信装置によって無線により行う無線通信システムにおいて，上記外部機器は，所定の登録要求に基づいて上記携帯電話機に固有の携帯電話識別子を登録する認証情報登録手段と，上記携帯電話機との通信の確立に先立ってその携帯電話機の上記携帯電話識別子と上記認証情報登録手段に登録されている各携帯電話識別子とを照合し，それらが一致した場合にのみ通信を確立する認証手段とを具備してなることを特徴とする無線通信システムとして構成されている。
これにより，予め外部機器側に登録された携帯電話機のみがその外部機器との通信が可能であるために通信の「秘匿性」が確保されると共に，予め複数の携帯電話機を登録しておくことにより１台の外部機器を複数の携帯電話機で利用するといった「共有性」も実現できる。
【０００６】
更に，第１の発明において，上記認証情報登録手段は，所定の登録要求に基づいて，上記携帯電話機に固有の携帯電話識別子と対応させて当該外部機器で利用可能な複数のサービスに割り当てられたサービス識別子のうちの１又は複数を登録し，上記認証手段が，上記携帯電話機との通信の確立に先立って，その携帯電話機の上記携帯電話識別子及びその通信によって利用しようとするサービスのサービス識別子と，上記認証情報登録手段に登録されている上記携帯電話識別子及びサービス識別子とを照合し，それらが共に一致した場合にのみ上記サービスに関する通信を確立するように構成される。これにより，携帯電話機毎にサービス内容を限定して登録することが可能となる。
このとき，上記登録要求手段を用いて携帯電話機から無線によって登録要求を行うようにする場合には，上記登録要求手段は上記外部機器に対して自己の上記携帯電話識別子と上記サービス識別子とを送信することになる。
更に，上述したように上記登録要求手段を用いて携帯電話機から無線によって登録要求を行うようにする場合には，上記携帯電話機の上記登録要求手段は，上記携帯電話識別子と共に，登録対象となる外部機器に固有の外部機器識別子を送信し，上記外部機器の上記認証情報登録手段は，上記登録要求手段から受信した上記外部機器識別子が自己の外部機器識別子と一致した場合にのみ，上記登録要求手段からの登録要求に基づく登録を行うように構成することが望ましい。これにより，例えば上記外部機器識別子として例えば暗唱番号のような非公開のものを用いることにより，不特定者からの登録を制限することが可能となる。
【０００７】
また，上記携帯電話機と上記外部機器との間の無線通信の確立を，常に上記携帯電話機から上記外部機器への接続要求に基づいて行うように構成すれば，携帯電話機は外部機器からの接続要求待ち受け状態のための電力消費がなく，限りあるバッテリー容量を有効に利用できる。
更に，上記外部機器についても，ユーザが使用可能状態となったことを検知して当該外部機器を上記携帯電話機からの接続要求の待ち受け状態に移行させる待受処理手段を具備することにより，電力消費を最小限に抑えることが可能である。ここで，上記待受処理手段としては，例えば当該外部機器の振動の検知や当該外部機器へのユーザの接近の検知，或いは上記外部機器が車載機器である場合には人の乗車を検知（エンジン始動や振動などを検知）してユーザが使用可能状態となったと判断するように構成できる。
【０００８】
また，第２，第３の発明は，それぞれ上記無線通信システムを構成する外部機器，携帯電話機である。
また，第４の発明は，携帯電話機と，該携帯電話機を介して通信を行う所定の外部機器との間で局所無線通信装置による無線通信を行う無線通信方法において，上記外部機器に上記携帯電話機に固有の携帯電話識別子を登録する認証情報登録工程と，上記携帯電話機との通信の確立に先立ってその携帯電話機の上記携帯電話識別子と上記認証情報登録工程により登録されている各携帯電話識別子とを照合し，それらが一致した場合にのみ通信を確立する認証工程とを具備し，上記認証情報登録工程は，所定の登録要求に基づいて，上記携帯電話機に固有の携帯電話識別子と対応させて当該外部機器で利用可能な複数のサービスに割り当てられたサービス識別子のうちの１又は複数を登録し，上記認証工程は，上記携帯電話機との通信の確立に先立って，その携帯電話機の上記携帯電話識別子及びその通信によって利用しようとするサービスのサービス識別子と，上記認証情報登録工程により登録されている上記携帯電話識別子及びサービス識別子とを照合し，それらが共に一致した場合にのみ上記サービスに関する通信を確立してなることを特徴とする無線通信方法として構成されている。
【０００９】
【発明の実施の形態】
以下，添付図面を参照して本発明の実施の形態につき説明し，本発明の理解に供する。尚，以下の実施の形態は，本発明を具体化した一例であって，本発明の技術的範囲を限定する性格のものではない。
ここに，図１は本発明の実施の形態に係る無線通信システムＺ１の概略構成図，図２は上記無線通信システムＺ１における登録手順の一例を示すフローブロック図，図３は図２に示すフローブロック図に対応する携帯電話機側のディスプレイ表示等を示す説明図，図４は登録削除手順及びそのときの携帯電話機側のディスプレイ表示等を示す説明図，図５は上記無線通信システムＺ１における認証手順の一例を示すフローブロック図，図６は図５に示すフローブロック図に対応する発信時の携帯電話機側のディスプレイ表示等を示す説明図，図７は図５に示すフローブロック図に対応する着信時の携帯電話機側のディスプレイ表示等を示す説明図，図８は上記無線通信システムＺ１における携帯電話機０と外部機器２０の状態遷移図である。
【００１０】
本実施の形態に係る無線通信システムＺ１は，図１に示すように，携帯電話機０と外部機器２０とで構成されている。
上記携帯電話機０は，従来の携帯電話機としての機能を果たす電話部１と，その他の局所無線制御部２，接続要求部３，登録要求部４，削除要求部５，識別子記憶部６，及び登録情報記憶部７を具備して構成されている。上記電話部１以外の構成部分は，携帯電話機０の筐体内に内蔵してもよいし，携帯電話機０の外部に着脱可能なユニットとして構成してもよい。
また，上記外部機器２０は，ここではハンズフリー装置やインターネット端末装置，若しくはそれらを複合した車載用の外部機器を想定しており，上記外部機器としての本来の機能（ハンズフリー機能やインターネット端末機能）を果たす外部機能部２１と，その他の局所無線制御部２２，認証情報登録部２３，認証部２４，待受処理部２５，識別子記憶部２６，及び認証情報記憶部２７を具備して構成されている。
【００１１】
まず，上記携帯電話機０側の各部の概略構成を説明する。
上記局所無線制御部２は，上記外部機器２０の局所無線制御部２２との間の無線通信の制御を行う。ここでは，上述したＢｌｕｅｔｏｏｔｈによる無線通信を想定しているが，これに限られるものではない。
上記登録要求部４は，上記外部機器２０との無線通信を行うに先立って，上記外部機器２０に対して，自己の固有の識別子（携帯電話識別子），その外部機器２０で利用したいサービスの識別子（サービス識別子），及び相手の外部機器の識別子（外部機器識別子）を送信して登録要求を行う。上記携帯電話識別子は，予め識別子記憶部６に記憶されているものとする。ここで，上記携帯電話識別子としては，例えばその携帯電話機の電話番号や製造番号を用いてもよいし，或いはユーザが任意の番号を設定するようにしてもよい。また，上記外部機器識別子は，不特定者からの登録を制限するため，ユーザが予め暗証番号として登録しておくことが望ましいが，例えば製造番号などを用いてもよい。尚，上記登録要求部４の登録要求によってその携帯電話機が上記外部機器２０に登録されると，その登録情報（相手の外部機器識別子，サービス識別子等）は上記登録情報記憶部７に記憶される。
上記削除要求部５は，所定の外部機器２０に対して既に行われている登録の削除要求を行う。上記削除要求部５の削除要求によって登録が削除されると，その登録情報は上記登録情報記憶部７から削除される。
上記接続要求部３は，上記登録要求部４による登録要求によって既に登録されている外部機器２０に対して，自己の携帯電話識別子と希望するサービスのサービス識別子と共に接続要求を送信する。この接続要求は，例えば上記電話部１に着信があった場合や，携帯電話機０の発信ボタンが押された場合などに送信される。尚，本実施の形態に係る無線通信システムＺ１では，携帯電話機０側のバッテリー消費を抑えるため，上記接続要求は携帯電話機０から上記外部機器２０に対してのみ行われる（詳細は後述する）。
【００１２】
次に，上記外部機器２０側の各部の概略構成を説明する。
上記局所無線制御部２２は，上述したように上記携帯電話機０の局所無線制御部２との間の無線通信の制御を行う。
上記認証情報登録部２３は，上記携帯電話機０の登録要求部４からの登録要求があれば，上記登録要求と共に送信されてきた外部機器識別子が予め上記識別子記憶部２６に記憶されている識別子（上述したように暗証番号などの形で登録しておくことが望ましい）と一致する場合に限り，その携帯電話機を当該外部機器２０との無線通信相手として登録する処理を行う。ある携帯電話機０の登録が許可されると，その登録情報（相手の携帯電話識別子，サービス識別子等）は上記認証情報記憶部２７に記憶される。
上記認証部２４は，上記携帯電話機０の接続要求部３からの接続要求を受け，その接続を許可するか否かの認証処理を行う。この認証処理では，上記接続要求と共に送られてきた携帯電話識別子が上記認証情報記憶部２７に記憶されているものと一致し，且つ同時に送られてきたサービス識別子が上記認証情報記憶部２７に上記携帯電話識別子と対応して記憶されている１又は複数のサービス識別子に含まれている場合に，接続が許可される。
上記待受処理部２５は，当該外部機器２０のアイドル状態と待受状態との切り替えを制御する。上記待受処理部２５は，例えば当該外部機器２０が搭載されている車の振動を検知する振動センサを具備しており，振動を検知すると当該外部機器２０をアイドル状態から待受状態へと移行させる。逆に，所定時間継続して振動が検知されない場合には，当該外部機器２０を待受状態からアイドル状態へと移行させる。これにより，ユーザが上記外部機器を使用可能な状態に限って待受状態とすることができ，外部機器のバッテリー消費を抑制することが可能となる。
【００１３】
（登録処理手順：認証情報登録工程に相当）
続いて，図２，図３を用いて，登録処理の具体的手順を説明する。
まず，外部機器２０側では，待受処理部２５により例えば車の振動の有無によってユーザの乗車を検知し，アイドル状態（若しくは停止状態）から待受状態に移行される（ステップＳ１）。もちろん，ユーザのボタン操作等により待受状態に移行させることも可能である。携帯電話機０からの登録を受け付ける際には，外部機器２０側は必ず待受状態となっている必要がある。ここで，上記待受状態には，登録要求に対する待受状態と後述する接続要求に対する待受状態の２種類存在するが，これは携帯電話機０からの要求を受けた時点でその要求に応じた待受状態を選択するようにすればよい。
登録処理を行うユーザは，携帯電話機０をファンクション操作などによって「登録処理要求」モードにする（ステップＳ２）。この時，携帯電話機０のディスプレイには，例えば図３のＤ１に示すように，登録相手となる外部機器２０の外部機器識別子の入力要求画面が表示される。ユーザが上記入力要求に対して外部機器識別子（例えば暗証番号）を入力すると，携帯電話機０の登録要求部４によって登録要求メッセージと上記外部機器識別子とが外部機器２０に対して送信される（ステップＳ３）。
上記登録要求を受けた外部機器２０の認証情報登録部２３は，受信した外部機器識別子が識別子記憶部２６に予め記憶されている識別子と一致すれば，相手の携帯電話機０に対して登録処理開始メッセージ（ＡＣＫメッセージ）を送信する。この時点で，登録処理に関する外部機器２０と携帯電話機０との間の通信が確立する。一方，受信した外部機器識別子が識別子記憶部２６に予め記憶されている識別子と一致しなければ，上記認証情報登録部２３は相手の携帯電話機０に対して登録処理拒否メッセージ（ＮＡＣＫメッセージ）を送信する（ステップＳ４）。
【００１４】
携帯電話機０側では，上記外部機器２０からＮＡＣＫメッセージを受信した場合には，ディスプレイに例えば図３のＤ２に示すような登録拒否メッセージを表示し，処理は終了する。一方，上記外部機器２０からＡＣＫメッセージを受けた場合には，携帯電話機０のディスプレイには，例えば図３のＤ３に示すように，サービス識別子の入力要求画面が表示される。ユーザが上記入力要求に対して１又は複数のサービス識別子（例えばサービス識別子「１」はハンズフリーを示す）を入力すると，上記登録要求部４により，相手の外部機器識別子（登録要求の最初に入力したものが用いられる），上記識別子記憶部６に記憶されている携帯電話識別子，及びユーザによって入力された上記サービス識別子が相手の外部機器２０に対して送信される（ステップＳ５）。
外部機器２０の認証情報登録部２３は，相手の携帯電話機０から受信した外部機器識別子が識別子記憶部２６に記憶されている識別子と一致しているか否かを再度チェックし，一致していれば相手の携帯電話機０から受信した上記携帯電話識別子とサービス識別子とを互いに関連付けて認証情報記憶部２７に記憶させると共に，相手の携帯電話機０に対して登録受理メッセージを送信する。相手の携帯電話機０から受信した外部機器識別子が識別子記憶部２６に記憶されている識別子と一致しなければ，上記認証情報登録部２３は相手の携帯電話機０に対して登録拒否メッセージを送信する（ステップＳ６）。
携帯電話機０の上記登録要求部４は，相手の外部機器０から登録受理メッセージを受信した場合には，図３のＤ４に示すようなメッセージを出力すると共に，登録先の外部機器識別番号とサービス識別子とを登録情報記憶部７に記憶させる。一方，相手の外部機器０から登録拒否メッセージを受信した場合には，上記登録要求部４は，例えば図３のＤ５に示すようなメッセージを出力して処理を終了する（ステップＳ７）。
【００１５】
（登録削除手順）
続いて，図４を用いて，既に登録されている登録情報の削除処理の具体的手順を説明する。
この削除処理の場合も，外部機器２０側は待受状態であることが必要である。
削除処理を行うユーザは，まず携帯電話機０をファンクション操作などによって「登録削除処理要求」モードにする。この時，携帯電話機０のディスプレイには，例えば図４のＤ１１に示すように，登録情報記憶部７に記憶されている登録情報（外部機器識別子とサービス識別子）のリストが一覧表示される。
ユーザが，上記リストから削除したい登録情報を選択して実行操作を行うと，削除要求部５は，外部機器２０に対して，ユーザによって選択された外部機器識別子とサービス識別子，及び識別子記憶部６に記憶されている携帯電話識別子と共に削除要求メッセージを送信する（ステップＳ１１）。
上記削除要求メッセージを受けた外部機器２０の認証情報登録部２３は，受信した外部機器識別子が識別子記憶部２６に記憶されている識別子と一致し，且つ受信した携帯電話識別子とサービス識別子との組が認証情報記憶部２７内に存在すれば，その登録情報を上記認証情報記憶部２７から削除すると共に，相手の携帯電話機０に対して成功コードを送信する。一方，相手の携帯電話機０から受信した外部機器識別子が識別子記憶部２６に記憶されている識別子と一致しなかったり，或いは削除対象とする携帯電話識別子とサービス識別子との組が認証情報記憶部２７内に存在しなければ，上記認証情報登録部２３は相手の携帯電話機０に対して失敗コードを送信する（ステップＳ１２）。
携帯電話機０の上記削除要求部５は，相手の外部機器０から成功コードを受信した場合には，図４のＤ１２に示すようなメッセージを出力すると共に，削除対象とする登録情報を登録情報記憶部７から削除する。一方，相手の外部機器０から失敗コードを受信した場合には，上記削除要求部５は，例えば図４のＤ１３に示すようなメッセージを出力して処理を終了する（ステップＳ１３）。
【００１６】
（接続確立（認証）手順：認証工程に相当）
続いて，図５〜図７を用いて，実際に外部機器２０のサービスを利用する際の接続確立時の認証手順について説明する。まず，図５及び図６を用いて，発信時の手順について説明する。着信時の手順については，発信時の手順と異なる部分についてのみ後述する。
外部機器２０側では，待受処理部２５により例えば車の振動の有無によってユーザの乗車を検知し，アイドル状態（若しくは停止状態）から待受状態に移行される（ステップＳ２１）。もちろん，ユーザのボタン操作等により待受状態に移行させることも可能である。外部機器２０側が待受状態となっていなければ，携帯電話機０からの接続要求を受け付けることができない。この待受状態は，登録処理要求に対する待受状態，接続要求に対する待受状態のいずれであってもよく，携帯電話機０から受信した要求の内容によって切り替えるようにすればよい。
発信処理を行うユーザは，携帯電話機０をファンクション操作などによって「発信要求」モードにする（ステップＳ２２）。この時，携帯電話機０のディスプレイには，例えば図６のＤ２１に示すように，接続したい外部機器２０の外部機器識別子の入力要求画面が表示される。例えばその携帯電話機０が１つの外部機器２０にのみ登録されているような場合には，携帯電話機０では登録情報記憶部７に記憶されている情報から相手の外部機器識別子を１つだけ特定することができるため，必ずしもこの入力要求画面の表示を行う必要はない。例えばユーザが上記入力要求に対して外部機器識別子（例えば暗証番号）を入力すると，携帯電話機０の接続要求部３によってその外部機器２０に対して接続要求メッセージが送信される（ステップＳ２３）。
上記接続要求を受けた外部機器２０の認証部２４は，例えば他の携帯電話機０の認証処理中で新たな接続要求を受けられない場合などの特別な場合を除いて，相手の携帯電話機０に対して接続処理開始メッセージ（ＡＣＫメッセージ）を送信する（ステップＳ２４）。この時点で，接続処理に関する外部機器２０と携帯電話機０との間の通信が確立する。
【００１７】
携帯電話機０側では，上記外部機器２０からＡＣＫメッセージを受けると，例えば図６のＤ２２に示すようなサービス識別子の入力要求画面がディスプレイに表示される。ユーザが上記入力要求に対して１又は複数のサービス識別子（例えばサービス識別子「１」はハンズフリーを示す）を入力すると，上記接続要求部３により，上記識別子記憶部６に記憶されている携帯電話識別子，及びユーザによって入力された上記サービス識別子が相手の外部機器２０に対して送信される（ステップＳ２５）。
外部機器２０の認証部２４は，まず相手の携帯電話機０から受信した携帯電話識別子が認証情報記憶部２７に記憶されているか否か（即ち登録されている携帯電話機であるか否か）が判断され，登録されていれば続いて受信したサービス識別子が認証情報記憶部２７に記憶されているサービス識別子群に含まれているか否か（即ち登録されたサービスであるか否か）が判断される。携帯電話識別子若しくはサービス識別子が上記認証情報記憶部２７に登録されたものでない場合には，外部機器２０は相手の携帯電話機０に対してＮＡＣＫメッセージ（接続拒否メッセージ）を送信すると共に，登録処理受付モード等の待受状態に移行する。ＮＡＣＫメッセージを受けた携帯電話機０のディスプレイには，図６のＤ２３に示すようなメッセージが表示される。一方，携帯電話識別子及びサービス識別子が上記認証情報記憶部２７に登録されたものであった場合には，外部機器２０は相手の携帯電話機０に対してＡＣＫメッセージ（接続認証メッセージ）を送信すると共に，上記要求されたサービスを提供する（ステップＳ２６）。
【００１８】
以上が発信時における認証手順である。着信時の認証手順についても，ほぼこれと同様であるが，携帯電話機０から外部機器２０に対して接続要求を送信する段階で若干の差異がある。即ち，発信時はユーザによるボタン操作等によって接続要求が送信されたが，着信時には携帯電話機０が着信を検知した段階で自動的に接続要求メッセージが外部機器２０に対して送信される。送信相手の外部機器２０は，登録情報記憶部７に記憶されている登録情報に基づいて自動的に判断される。接続要求送信以降の処理については上記発信時の手順と全く同様である（図７参照）。
【００１９】
（待受処理）
続いて，図８を用いて，本無線通信システムＺ１における携帯電話機０と外部機器２０の状態遷移について説明する。
まず，外部機器２０は，例えば車の振動などの乗車イベントの検知，或いはユーザのボタン操作によってアイドル状態から待ち受け状態へと移行する。そして，例えば車の振動が所定時間継続して検知できないなどの降車イベントを検知するか，或いはユーザの待ち受け解除のボタン操作があるまでは，上記待ち受け状態が維持される。
そして，例えば携帯電話機０側から接続要求を受信し，認証が成功すると，携帯電話機０との通信を確立する。認証が失敗したり，或いは通信が終了すると，再び待ち受け状態に移行する。但し，外部機器２０では，ある携帯電話機０との通信を確立している間も，並行して他の携帯電話機０からの接続要求の待ち受け処理を行う。これにより，例えば複数のユーザが，それぞれ自分の携帯電話機を用いて１つの外部機器の異なるサービス（例えばハンズフリーとインターネット接続）を利用することが可能となる。
一方，携帯電話機０は，外部機器２０からの接続要求の待ち受けは行わず，通常時は局所無線機能については停止状態を基本としている。そして，電話の着信があった場合や，ユーザからの発信要求があった場合には，外部機器２０に対して接続要求を送信し，外部機器２０側で認証が成功すれば通信が確立される。外部機器２０側で認証が失敗した場合や，通信が終了した場合には，再び停止状態に移行する。
以上のように，本無線通信システムＺ１においては，携帯電話機０と外部機器との間の無線通信を確立するための接続要求は常に携帯電話機０から外部機器２０に対して行われるため，携帯電話機０は外部機器２０からの接続要求待ち受け状態を維持する必要がない。従って，携帯電話機０の待ち受け状態に伴う電力消費がなく，限りあるバッテリー容量を有効に利用できる。また，外部機器２０についても，常に待ち受け状態を維持するのではなく，ユーザが当該外部機器２０を利用可能な状態（ここではユーザの乗車時）においてのみアイドル状態から待ち受け状態に移行するため，電力消費を最小限に抑えることが可能である。
【００２０】
以上説明したように，本実施の形態に係る無線通信システムＺ１によれば，予め外部機器側に登録された携帯電話機のみがその外部機器との通信が可能であることにより通信の「秘匿性」を確保できると共に，予め複数の携帯電話機を登録しておくことにより１台の外部機器を複数の携帯電話機で利用するといった「共有性」も実現される。
また，携帯電話機と外部機器との間の無線通信を確立するための接続要求は常に携帯電話機から外部機器に対して行われるため，携帯電話機は外部機器からの接続要求待ち受け状態のための電力消費がなく，限りあるバッテリー容量を有効に利用できる。また，外部機器についても，常に待ち受け状態を維持するのではなく，ユーザが当該外部機器を利用可能な状態（ここではユーザの乗車時）においてのみアイドル状態から待ち受け状態に移行するため，電力消費を最小限に抑えることが可能である。
【００２１】
【実施例】
上記実施の形態のような構成とすれば，例えば複数の機能を有する外部機器を用いる場合，同時に複数の携帯電話機との通信を可能とすることが望ましい。例えば，外部機器の一例としてハンズフリー機能とインターネット端末機能とを有するカーナビゲーションシステムを考えると，同時に複数の携帯電話機との通信を可能とすることにより，運転者は自分の携帯電話機で上記ハンズフリー機能を利用して通話を行い，同乗者は自分の携帯電話機を用いてインターネット接続を行うような利用形態が可能となる。
また，上記実施の形態では，外部機器の待受状態への移行を振動の検知に基づいて行う例を示したが，その他にも例えばエンジンの始動／停止や，ユーザの接近を検知するセンサの出力に基づいて外部機器を待受状態に移行させるなどの方法も考えられる。
更に，上記実施の形態では，携帯電話機を用いて外部機器への登録処理を行う例を示したが，外部機器に対してボタン操作などで直接登録処理を行うことも可能である。
また，外部機器は，上述したような車載装置に限られるものではなく，例えばパソコンや音楽配信端末など，携帯電話機と接続可能なものであればどのようなものでも適用可能である。
【００２２】
【発明の効果】
以上説明したように，本発明に係る無線通信システム，それを構成する外部機器，携帯電話機，及び無線通信方法によれば，予め外部機器側に登録された携帯電話機のみがその外部機器との通信が可能であるために通信の「秘匿性」が確保されると共に，予め複数の携帯電話機を登録しておくことにより１台の外部機器を複数の携帯電話機で利用するといった「共有性」も実現できる。
また，携帯電話機と外部機器との間の無線通信を確立するための接続要求は常に携帯電話機から外部機器に対して行うようにすれば，携帯電話機は外部機器からの接続要求待ち受け状態のための電力消費を０とすることができ，限りあるバッテリー容量を有効に利用できる。また，外部機器についても，常に待ち受け状態を維持するのではなく，ユーザが当該外部機器を利用可能な状態においてのみアイドル状態から待ち受け状態に移行するようにすれば，電力消費を最小限に抑えることが可能である。
【図面の簡単な説明】
【図１】  本発明の実施の形態に係る無線通信システムＺ１の概略構成図。
【図２】  上記無線通信システムＺ１における登録手順の一例を示すフローブロック図。
【図３】  図２に示すフローブロック図に対応する携帯電話機側のディスプレイ表示等を示す説明図。
【図４】  登録削除手順及びそのときの携帯電話機側のディスプレイ表示等を示す説明図。
【図５】  上記無線通信システムＺ１における認証手順の一例を示すフローブロック図。
【図６】  図５に示すフローブロック図に対応する発信時の携帯電話機側のディスプレイ表示等を示す説明図。
【図７】  図５に示すフローブロック図に対応する着信時の携帯電話機側のディスプレイ表示等を示す説明図。
【図８】  上記無線通信システムＺ１における携帯電話機０と外部機器２０の状態遷移図。
【符号の説明】
０…携帯電話機
１…電話部
２…局所無線制御部（局所無線装置に相当）
３…接続要求部
４…登録要求部
５…削除要求部
６…識別子記憶部
７…登録情報記憶部
２０…外部機器
２１…外部機能部
２２…局所無線制御部（局所無線装置に相当）
２３…認証情報登録部
２４…認証部
２５…待受処理部
２６…識別子記憶部
２７…認証情報記憶部
【図１】
0003711394.tif 000002
【図２】
0003711394.tif 000003
【図３】
0003711394.tif 000004
【図４】
0003711394.tif 000005
【図５】
0003711394.tif 000006
【図６】
0003711394.tif 000007
【図７】
0003711394.tif 000008
【図８】
0003711394.tif 000009